(57)【要約】      （修正有）【課題】コンパクトディスク又はフロッピー（登録商標）ディスク等のディスク、ゲームソフト、カード、その他の物品を輸送する際に、簡単に組み立てられ且つ収納された物品の破損を確実に防止することができ、更には、当該収納ケースのサイズを第一種普通郵便の定形郵便規格に設定することにより、郵便料金を定形郵便物の最小値段とすることを可能にする輸送用物品収納ケースを提供する。【解決手段】所定の厚さを有する長方形のシート材１０から構成され、シート材の長辺を均等に分割して表紙部１１と収納部１２と裏表紙部１３を折曲部１４、１５を介して連設し、収納部に収納対象物品の外部形状に相当する開口部１６を形成し、表紙部と収納部、収納部と裏表紙部の各対面を接着手段により接着することにより開口部に閉鎖空間が形成され、その閉鎖空間内に収納対象物品を保持する。【選択図】  図１
2006089077.tif 000002
【特許請求の範囲】
【請求項１】
物品を収納するケース本体は所定の厚さを有する長方形のシート材から構成され、前記シート材の長辺を均等に分割して表紙部と収納部と裏表紙部をそれぞれ折曲部を介して連設し、前記収納部に収納対象物品の外部形状に相当する開口部を形成し、前記シート材を折り曲げたときに対向する前記表紙部と前記収納部の各対面及び前記収納部と前記裏表紙部の各対面を接着手段により接着することにより前記開口部に閉鎖空間が形成され、その閉鎖空間内に前記収納対象物品を保持することを特徴とする輸送用物品収納ケース。
【請求項２】
物品を収納するケース本体は長方形のシート材から構成され、前記シート材の長辺を均等に分割して表紙部と第一収納部と第二収納部と裏表紙部をそれぞれ折曲部を介して連設し、前記第一収納部と第二収納部に収納対象物品の外部形状に相当する同一の開口部をそれぞれ形成し、前記シート材を折り曲げたときに対向する前記表紙部と前記第一収納部の各対面及び前記第一収納部と前記第二収納部の各対面及び前記第二収納部と前記裏表紙部の各対面を接着手段により接着することにより前記各開口部が重合した閉鎖空間が形成され、その閉鎖空間内に前記収納対象物品を保持することを特徴とする輸送用物品収納ケース。
【請求項３】
請求項１又は請求項２に記載の前記シート材は、紙製又はプラスチック製のダンボールからなることを特徴とする輸送用物品収納ケース。
【請求項４】
請求項１又は請求項２に記載の前記折曲部は、輸送用物品収納ケースの組み立てを容易にする切り込み線を備えており、前記切り込み線は、前記シート材の長辺の一端から他端まで連続し且つ貫通しない第一パターンの切り込み線と、前記シート材の長辺の一端から他端まで連続せず且つ貫通した第二パターンの切り込み線とからなり、前記シート材の加工において製造工程を簡略化するため第一パターンと第二パターンの切り込み線を組み合わせたことを特徴とする輸送用物品収納ケース。
【請求項５】
請求項１又は請求項２に記載の前記表紙部は、前記閉鎖空間内に保持された収納物品の取り出しを容易にする把持部及びミシン線を備えており、前記把持部は、前記シート材の短辺側部の略中央に形成された一対の切り込み線によって形成され、前記ミシン線は、前記シート材の長辺両側部と平行し且つ前記開口部の周縁に重ならない位置に一対に形成されていることを特徴とする輸送用物品収納ケース。
【請求項６】
請求項１又は請求項２に記載の前記裏表紙部は、前記閉鎖空間内に保持された収納物品が外部から視認できるように透明フイルムを有する窓を備えていることを特徴とする輸送用物品収納ケース。
【請求項７】
請求項１乃至請求項６に記載の輸送用物品収納ケースにおいて、収納対象物品を直径８ｃｍ又は直径１２ｃｍのいずれかのコンパクトディスクとし、前記収納部に直径８ｃｍの開口部を形成し、前記開口部の周縁外側に直径１２ｃｍの開口部を形成することができる切り取り用ミシン線を設けたことを特徴とする輸送用物品収納ケース。
【請求項８】
請求項１乃至請求項６に記載の輸送用物品収納ケースにおいて、収納対象物品を直径１２ｃｍのコンパクトディスク又はフロッピー（登録商標）ディスクとし、前記収納部に直径１２ｃｍの開口部を形成し、前記開口部の周縁にコンパクトディスクの取り出しを容易にする第一切り欠き部を形成するとともに、前記開口部の内部にフロッピー（登録商標）ディスクを収納し保持する第二切り欠き部を形成し、前記第二切り欠き部は、フロッピー（登録商標）ディスクの３箇所の直角隅部に相応する形状に形成したことを特徴とする輸送用物品収納ケース。
【請求項９】
請求項７及び請求項８に記載の輸送用物品収納ケースにおいて、当該輸送用物品収納ケースを第一種普通郵便の定形郵便規格に対応させるために、前記表紙部と前記収納部と前記裏表紙部からなるケース本体の寸法を前記規格に設定するとともに、前記収納部の開口部の両側中央に直径１２ｃｍのコンパクトディスクの側面が露出する切り欠き部を形成したことを特徴とする輸送用物品収納ケース。
【発明の詳細な説明】
【技術分野】
【０００１】
本発明は、コンパクトディスク又はフロッピー（登録商標）ディスク等のディスク、ゲームソフト、カード、その他の物品を輸送する際に、簡単に組み立てられ且つ収納された物品の破損を確実に防止することができる輸送用物品収納ケースに関し、更には、当該収納ケースのサイズを第一種普通郵便の定形郵便規格に設定することにより、郵便料金を定形郵便物の最小値段とすることができる輸送用物品収納ケースに関する。
【背景技術】
【０００２】
近年、パーソナルコンピュータの急激な普及ならびにオーディオ機器の市場拡大に伴い、コンパクトディスク又はフロッピー（登録商標）ディスクなどのディスクの需要が増大している。
【０００３】
企業ではＣＤ−ＲＯＭ等のディスクを多数のユーザーに送付しているが、ディスクは損傷すると使用することができなくなるので直接衝撃を与えることは避けるべきである。そのため、ディスクを送付する場合には、慎重に包装する必要があるため、従来は、ディスクをプラスチック製の専用容器に梱包してから郵便や宅配便により送付していた。
【０００４】
しかしながら、ディスクを多数のユーザーに送付する場合、このような梱包作業は相当の手間を要し、しかも重量が重くなるため送付料金が高くなることから、その費用負担は大きなものであった。
【０００５】
上述した問題の解決を図るため、以下に示すような「郵送用ディスク収納ケース」が提案されている。
【０００６】
実用新案登録第３０２６１５４号公報には、軽量かつ機能的で、定形郵便物の範囲内でＣＤ 等の郵送が可能なパッケージを提供することを目的とし、内部にＣＤ収納部を有し、パッケージの両側面襠部のほぼ中央部に切欠き部を設けることにより、パッケージの巾を１２ｃｍ以内にした「ＣＤ包装郵送用ケース」が開示されている（特許文献１）。
【０００７】
また、実用新案登録第３０３６０３７号公報には、ＣＤを封入して定型または定型外の第１種郵便物として郵送できると共に、安価に製造することができ、また、廃棄が容易でリサイクルも可能な「コンパクトディスクパッケージ」が開示されている（特許文献２）。
【０００８】
また、実用新案登録第３０５９９３９号公報には、直径が１２ｃｍのＣＤを第一種定形郵便の料金９０円の範囲内で郵送することができるようにすると共に、一緒に封入する小冊子の表紙自体をＣＤの保護ケース代りに用いることによって、全体の体裁を良好にし、且つ、全体のスリム化を図った「ＣＤ郵送用パッケージ」が開示されている（特許文献３）。
【０００９】
また、実用新案登録第３０７２８２８号公報には、１枚の板紙を用いＣＤの郵送及び収納保管が可能な頑丈で豪華な扁平箱状にした「ＣＤの郵送用容器」が開示されている（特許文献４）。
【００１０】
また、実用新案登録第３０８７８９２号公報には、コンパクトディスクを郵送するための封筒を、封緘以外に接着剤を使用せずに形成する、機能性を有する「コンパクトディスク郵送用シート」が開示されている（特許文献５）。
【００１１】
また、特開平９−３２８１８５号公報には、定形郵便物として郵送可能であって、コンパクトディスクがディスク収納用ケースから外れるのを防止できるとともに、再資源化が容易であり、さらにディスクをキズつける危険性の少ない「ディスク収納用ケース」が開示されている（特許文献６）。
【００１２】
また、特開平１０−３２９８８２号公報には、コンパクトディスクを安全確実に規定の郵便料金でしかも簡単に収納できる「コンパクトディスク収納用ケース」が開示されている（特許文献７）。
【００１３】
また、特開平１１−１７１２７８号公報には、輸送中のＣＤが保護できる強度を有し、かつ、第１種定形郵便の規格で郵送することができ、郵送後も収納ケースとして使用できる「ＣＤのケース」が開示されている（特許文献８）。
【００１４】
また、特開平１１−２０８１６４号公報には、封筒やＣＤ容器を使用することなくＣＤを同封して、安価に郵送することができる「封書」が開示されている（特許文献９）。
【００１５】
また、特開２００３−２２６３８９号公報には、８cmサイズのＣＤ等の小型ディスクを収納して、ハガキとしての取扱とし郵送料を定形郵便物の最小値段とすることができる「小型ディスクの郵送又は保存ケースの組立シート」が開示されている（特許文献１０）。
【００１６】
【特許文献１】実用新案登録第３０２６１５４号公報
【特許文献２】実用新案登録第３０３６０３７号公報
【特許文献３】実用新案登録第３０５９９３９号公報
【特許文献４】実用新案登録第３０７２８２８号公報
【特許文献５】実用新案登録第３０８７８９２号公報
【特許文献６】特開平９−３２８１８５号公報
【特許文献７】特開平１０−３２９８８２号公報
【特許文献８】特開平１１−１７１２７８号公報
【特許文献９】特開平１１−２０８１６４号公報
【特許文献１０】特開２００３−２２６３８９号公報
【発明の開示】
【発明が解決しようとする課題】
【００１７】
本発明は、上述した従来技術とは異なる独自の構造を採用することにより、コンパクトディスク又はフロッピー（登録商標）ディスク等のディスク、ゲームソフト、カード、その他の物品を輸送する際に、従来技術よりも簡単に組み立てられ且つ収納された物品の破損を確実に防止することができるという顕著な効果を奏する輸送用物品収納ケースを提供することを目的とする。更には、当該収納ケースのサイズを第一種普通郵便の定形郵便規格に設定することにより、郵便料金を定形郵便物の最小値段とすることを可能にするものである。
【課題を解決するための手段】
【００１８】
上記課題を解決するために、請求項１に記載の発明は、物品を収納するケース本体は所定の厚さを有する長方形のシート材から構成され、前記シート材の長辺を均等に分割して表紙部と収納部と裏表紙部をそれぞれ折曲部を介して連設し、前記収納部に収納対象物品の外部形状に相当する開口部を形成し、前記シート材を折り曲げたときに対向する前記表紙部と前記収納部の各対面及び前記収納部と前記裏表紙部の各対面を接着手段により接着することにより前記開口部に閉鎖空間が形成され、その閉鎖空間内に前記収納対象物品を保持する構成を採用したのである。
【００１９】
また、請求項２に記載の発明は、物品を収納するケース本体は長方形のシート材から構成され、前記シート材の長辺を均等に分割して表紙部と第一収納部と第二収納部と裏表紙部をそれぞれ折曲部を介して連設し、前記第一収納部と第二収納部に収納対象物品の外部形状に相当する同一の開口部をそれぞれ形成し、前記シート材を折り曲げたときに対向する前記表紙部と前記第一収納部の各対面及び前記第一収納部と前記第二収納部の各対面及び前記第二収納部と前記裏表紙部の各対面を接着手段により接着することにより前記各開口部が重合した閉鎖空間が形成され、その閉鎖空間内に前記収納対象物品を保持する構成を採用したのである。
【００２０】
さらに、請求項３に記載の発明は、請求項１又は請求項２に記載の前記シート材は、紙製又はプラスチック製のダンボールからなることを特徴とする。
【００２１】
また、請求項４に記載の発明は、請求項１又は請求項２に記載の前記折曲部は、輸送用物品収納ケースの組み立てを容易にする切り込み線を備えており、前記切り込み線は、前記シート材の長辺の一端から他端まで連続し且つ貫通しない第一パターンの切り込み線と、前記シート材の長辺の一端から他端まで連続せず且つ貫通した第二パターンの切り込み線とからなり、前記シート材の加工において製造工程を簡略化するため第一パターンと第二パターンの切り込み線を組み合わせたことを特徴とする。
【００２２】
また、請求項５に記載の発明は、請求項１又は請求項２に記載の前記表紙部は、前記閉鎖空間内に保持された収納物品の取り出しを容易にする把持部及びミシン線を備えており、前記把持部は、前記シート材の短辺側部の略中央に形成された一対の切り込み線によって形成され、前記ミシン線は、前記シート材の長辺両側部と平行し且つ前記開口部の周縁に重ならない位置に一対に形成されていることを特徴とする。
【００２３】
また、請求項６に記載の発明は、請求項１又は請求項２に記載の前記裏表紙部は、前記閉鎖空間内に保持された収納物品が外部から視認できるように透明フイルムを有する窓を備えていることを特徴とする。
【００２４】
加えて、請求項７に記載の発明は、請求項１乃至請求項６に記載の輸送用物品収納ケースにおいて、収納対象物品を直径８ｃｍ又は直径１２ｃｍのいずれかのコンパクトディスクとし、前記収納部に直径８ｃｍの開口部を形成し、前記開口部の周縁外側に直径１２ｃｍの開口部を形成することができる切り取り用ミシン線を設けたことを特徴とする。
【００２５】
また、請求項８に記載の発明は、請求項１乃至請求項６に記載の輸送用物品収納ケースにおいて、収納対象物品を直径１２ｃｍのコンパクトディスク又はフロッピー（登録商標）ディスクとし、前記収納部に直径１２ｃｍの開口部を形成し、前記開口部の周縁にコンパクトディスクの取り出しを容易にする第一切り欠き部を形成するとともに、前記開口部の内部にフロッピー（登録商標）ディスクを収納し保持する第二切り欠き部を形成し、前記第二切り欠き部は、フロッピー（登録商標）ディスクの３箇所の直角隅部に相応する形状に形成したことを特徴とする。
【００２６】
さらに、請求項９に記載の発明は、請求項７及び請求項８に記載の輸送用物品収納ケースにおいて、当該輸送用物品収納ケースを第一種普通郵便の定形郵便規格に対応させるために、前記表紙部と前記収納部と前記裏表紙部からなるケース本体の寸法を前記規格に設定するとともに、前記収納部の開口部の両側中央に直径１２ｃｍのコンパクトディスクの側面が露出する切り欠き部を形成したことを特徴とする。
【発明の効果】
【００２７】
以上のように、請求項１に記載の発明によれば、シート材を折り曲げたときに対向する表紙部と収納部の各対面及び収納部と裏表紙部の各対面を接着手段により接着することにより開口部に閉鎖空間が形成され、その閉鎖空間内に収納対象物品が保持されることから、物品を輸送する際に、従来技術よりも簡単に組み立てられ且つ収納された物品の破損を確実に防止することができるという顕著な効果を奏する。
【００２８】
また、請求項２に記載の発明によれば、シート材を折り曲げたときに対向する表紙部と第一収納部の各対面及び第一収納部と第二収納部の各対面及び第二収納部と裏表紙部の各対面を接着手段により接着することにより各開口部が重合した閉鎖空間が形成され、その閉鎖空間内に収納対象物品が保持されることから、収納容量を容易に増加させることができるとともに、請求項１に記載の発明と同様に、物品を輸送する際に、従来技術よりも簡単に組み立てられ且つ収納された物品の破損を確実に防止することができるという顕著な効果を奏する。
【００２９】
さらに、請求項３に記載の発明によれば、シート材は紙製又はプラスチック製のダンボールを採用したことにより、軽量で衝撃吸収力に優れた機能を持たせることができ、輸送時における損傷を回避することが必要なコンパクトディスク又はフロッピー（登録商標）ディスク等のディスクの収納にも適したものとなる。
【００３０】
また、請求項４に記載の発明によれば、シート材の長辺の一端から他端まで連続し且つ貫通しない第一パターンの切り込み線と、シート材の長辺の一端から他端まで連続せず且つ貫通した第二パターンの切り込み線とを組み合わせたことにより、シート材の加工において製造工程を簡略化して製造コストの低減を図ることができる。
【００３１】
また、請求項５に記載の発明によれば、表紙部に把持部及びミシン線を形成したことにより、閉鎖空間内に保持された収納物品の取り出しが容易になり開梱の手間を省くことができる。
【００３２】
また、請求項６に記載の発明によれば、裏表紙部に透明フイルムを有する窓を形成したことにより、閉鎖空間内に保持された収納物品が外部から視認でき輸送された物品の内容を確認することができる。
【００３３】
加えて、請求項７に記載の発明によれば、直径８ｃｍ又は直径１２ｃｍのコンパクトディスクのいずれかを適宜選択して収納することができるので、利用者に対する利便性を高めることができる。
【００３４】
また、請求項８に記載の発明によれば、直径１２ｃｍのコンパクトディスク又はフロッピー（登録商標）ディスクのいずれかを適宜選択して収納することができるので、利用者に対する利便性を高めることができる。
【００３５】
さらに、請求項９に記載の発明によれば、輸送用物品収納ケースの表紙部と収納部と裏表紙部からなるケース本体の寸法を第一種普通郵便の定形郵便規格に設定し、収納部の開口部の両側中央に直径１２ｃｍのコンパクトディスクの側面が露出する切り欠き部を形成したことにより、郵便料金を定形郵便物の最小値段とすることが可能になり郵送費用の軽減を図ることができる。
【発明を実施するための最良の形態】
【００３６】
以下、本発明の実施形態について、図面を参酌しながら説明する。
【００３７】
図１は、輸送用物品収納ケースの第一実施形態を示す展開図である。ケース本体は所定の厚さを有する１枚の長方形のシート材１０から構成されており、このシート材１０の長辺を均等に分割して表紙部１１と収納部１２と裏表紙部１３がそれぞれ折曲部１４、１５を介して連設されている。シート材１０は、軽量で衝撃吸収力に優れた機能を持たせるためには、紙製又はプラスチック製のダンボールが適している。このダンボールの構造については、中しんとライナーから構成されるものであれば種類は限定されない。また、ダンボールの厚さは、収納対象物品の厚さに対応するものを適宜採用することができるが、本発明にかかる輸送用物品収納ケースでは、１ｍｍ以上の厚さを有するダンボールを採用するのが好ましい。
【００３８】
収納部１２には、収納対象物品（コンパクトディスクＡ）の外部形状に相当する円形の開口部１６が形成されている。この開口部１６の形状は、図１に示す円形に限定されるものではなく、収納対象物品の種類・形状によって適宜変更することができる。例えば、カードを収納対象物品とする場合には、該カードの外部形状に相当する長方形の開口部１６が形成される。また、収納部１２に形成される開口部の数も１つに限定されるものではなく、収納部１２の内部に複数の開口部を設けてもよい。すなわち、収納対象物品の種類・形状によって、開口部１６を適宜変更することにより、本発明にかかる輸送用物品収納ケースの利用範囲を拡大することができる。
【００３９】
図２は、図１に示す輸送用物品収納ケースの組み立て手順を示す説明図である。シート材１０を折り曲げたときに対向する表紙部１１の裏面と収納部１２の表面の各対面及び収納部１２の裏面と裏表紙部１３の裏面の各対面を接着手段により接着することによりケース本体を簡単に組み立てることができる。そして、図３に示すように、組み立てと同時に開口部１６に閉鎖空間１７が形成され、その閉鎖空間１７内に収納対象物品（コンパクトディスクＡ）が保持される。そのため、収納された物品の破損を確実に防止することができる。上記接着手段については、図３に示すような両面テープからなる接着材１８を採用するのが好ましい。
【００４０】
折曲部１４、１５には、輸送用物品収納ケースの組み立てを容易にする切り込み線が設けられている。切り込み線は、シート材１０の長辺の一端から他端まで連続し且つ貫通しない第一パターンの切り込み線（折曲部１４）と、シート材１０の長辺の一端から他端まで連続せず且つ貫通した第二パターンの切り込み線（折曲部１５）とからなり、図１に示すように第一パターンと第二パターンの切り込み線を組み合わせることにより、シート材１０の加工において製造工程を簡略化して製造コストの低減を図ることができる。なお、折曲部１４、１５の構成は、上述した切り込み線に限定されるものではなく、例えば、シート材１０の表面に凹部を設けて折曲線を形成してもよい。
【００４１】
図４は、輸送用物品収納ケースの第二実施形態を示す展開図である。ケース本体は所定の厚さを有する１枚の長方形のシート材２０から構成されており、このシート材２０の長辺を均等に分割して表紙部２１と第一収納部２２と第二収納部２３と裏表紙部２４がそれぞれ折曲部２５，２６，２７を介して連設されている。シート材２０は、軽量で衝撃吸収力に優れた機能を持たせるためには、紙製又はプラスチック製のダンボールが適している。このダンボールの構造については、中しんとライナーから構成されるものであれば種類は限定されない。また、ダンボールの厚さは、収納対象物品の厚さに対応するものを適宜採用することができるが、本発明にかかる輸送用物品収納ケースでは、１ｍｍ以上の厚さを有するダンボールを採用するのが好ましい。なお、収納部を３つ以上連設する構成を採用してもよい。
【００４２】
第一収納部２２と第二収納部２３には、収納対象物品（コンパクトディスクＡ）の外部形状に相当する円形の同一の開口部２８，２９がそれぞれ形成されている。この開口部２８、２９の形状は、図４に示す円形に限定されるものではなく、収納対象物品の種類・形状によって適宜変更することができる。例えば、カードを収納対象物品とする場合には、該カードの外部形状に相当する長方形の開口部２８，２９が形成される。また、第一収納部２２と第二収納部２３に形成される開口部の数も１つに限定されるものではなく、第一収納部２２と第二収納部２３の内部に複数の同一の開口部を設けてもよい。すなわち、上述した第一実施形態と同様に、収納対象物品の種類・形状によって、開口部２８，２９を適宜変更することにより、本発明にかかる輸送用物品収納ケースの利用範囲を拡大することができる。
【００４３】
図５は、図４に示す輸送用物品収納ケースの組み立て手順を示す説明図である。シート材２０を折り曲げたときに対向する表紙部２１の裏面と第一収納部２２の表面の各対面及び第一収納部２２の裏面と第二収納部２３の表面の各対面及び第二収納部２３の裏面と裏表紙部２４の裏面の各対面を接着手段により接着することによりケース本体を簡単に組み立てることができる。そして、図６に示すように、組み立てと同時に各開口部２８，２９が重合した閉鎖空間３０が形成され、その閉鎖空間３０内に収納対象物品（２枚のコンパクトディスクＡ）が保持される。そのため、収納された物品の破損を確実に防止することができる。上記接着手段については、図６に示すような両面テープからなる接着材３１を採用するのが好ましい。なお、接着材３１の形状をＬ字状（図６参照）に形成することにより、輸送時における収納物品の抜け落ちを防止することができる。
【００４４】
折曲部２５，２６，２７には、輸送用物品収納ケースの組み立てを容易にする切り込み線が設けられている。切り込み線は、シート材２０の長辺の一端から他端まで連続し且つ貫通しない第一パターンの切り込み線（折曲部２５、２７）と、シート材２０の長辺の一端から他端まで連続せず且つ貫通した第二パターンの切り込み線（折曲部２６）とからなり、図４に示すように第一パターンと第二パターンの切り込み線を組み合わせることにより、シート材２０の加工において製造工程を簡略化して製造コストの低減を図ることができる。なお、折曲部２５，２６，２７の構成は、上述した切り込み線に限定されるものではなく、例えば、シート材２０の表面に凹部を設けて折曲線を形成してもよい。
【００４５】
本発明にかかる輸送用物品収納ケースを第一種普通郵便の定形郵便規格（幅１２ｃｍ以下、長さ１４ｃｍ以上２３．５ｃｍ以下、厚さ１ｃｍ以下）に対応させるために、第一実施形態又は第二実施形態に示した表紙部と収納部と裏表紙部からなるケース本体の寸法を前記規格に設定することにより、郵便料金を定形郵便物の最小値段（総重量５０ｇ以下、９０円）とすることが可能になり郵送費用の軽減を図ることができる。
【００４６】
図７は、輸送用物品収納ケースの収納部１２の実施例を示す説明図である。この収納部１２は、収納対象物品を直径８ｃｍ又は直径１２ｃｍのいずれかのコンパクトディスクとしたものである。収納部１２には、直径８ｃｍの開口部４０が形成されており、開口部４０の周縁外側に直径１２ｃｍの開口部を形成することができる切り取り用ミシン線４１が設けられている。本実施例に示す収納部１２を採用した場合には、直径８ｃｍ又は直径１２ｃｍのコンパクトディスクのいずれかを適宜選択して収納することができるので、利用者に対する利便性を高めることができる。
【００４７】
図８は、輸送用物品収納ケースの収納部１２の他の実施例を示す説明図である。図９は、図８に示す収納部を有する輸送用物品収納ケースの組み立て後の側面図である。この収納部１２は、収納対象物品を直径１２ｃｍのコンパクトディスク又はフロッピー（登録商標）ディスクとしたものである。収納部１２に直径１２ｃｍの開口部５０が形成されており、開口部５０の周縁にコンパクトディスクの取り出しを容易にする第一切り欠き部５１ａ、５１ｂが形成されている。また、開口部５０の内部にフロッピー（登録商標）ディスクを収納し保持する第二切り欠き部５２ａ、５２ｂ、５３ｃが形成されており、第二切り欠き部５２ａ、５２ｂ、５３ｃは、フロッピー（登録商標）ディスクの３箇所の直角隅部に相応する形状に形成されている。また、収納部１２の開口部５０の両側中央にコンパクトディスクの側面が露出する切り欠き部５３ａ、５３ｂが形成されている。本実施例に示す収納部１２を採用した場合には、直径１２ｃｍのコンパクトディスク又はフロッピー（登録商標）ディスクのいずれかを適宜選択して収納することができるので、利用者に対する利便性を高めることができる。
【００４８】
図１０は、輸送用物品収納ケースの表紙部１１の実施例を示す説明図である。表紙部１１には、閉鎖空間内に保持された収納物品（コンパクトディスクＡ）の取り出しを容易にする把持部６０及びミシン線６１が設けられている。把持部６０は、シート材の短辺側部の略中央に形成された一対の切り込み線によって形成されている。また、ミシン線６１は、シート材の長辺両側部と平行し且つ開口部の周縁に重ならない位置に一対に形成されている。これにより、閉鎖空間内に保持された収納物品（コンパクトディスクＡ）の取り出しが容易になり開梱の手間を省くことができる。
【００４９】
図１１は、輸送用物品収納ケースの裏表紙部１３の実施例を示す説明図である。裏表紙部１３には、閉鎖空間内に保持された収納物品（コンパクトディスクＡ）が外部から視認できるように透明フイルムを有する窓７０が設けられている。これにより、閉鎖空間内に保持された収納物品（コンパクトディスクＡ）が外部から視認でき輸送された物品の内容を確認することができる。なお、透明フイルムを有する窓７０は、図示したものに限られず収納物品が外部から視認できる任意の形状並びに位置を選択することができる。
【図面の簡単な説明】
【００５０】
【図１】輸送用物品収納ケースの第一実施形態を示す展開図である。
【図２】図１に示す輸送用物品収納ケースの組み立て手順を示す説明図である。
【図３】図１に示す輸送用物品収納ケースに物品を収納する状態を示す斜視図である。
【図４】輸送用物品収納ケースの第二実施形態を示す展開図である。
【図５】図４に示す輸送用物品収納ケースの組み立て手順を示す説明図である。
【図６】図５に示す輸送用物品収納ケースに物品を収納する状態を示す斜視図である。
【図７】輸送用物品収納ケースの収納部の実施例を示す説明図である。
【図８】輸送用物品収納ケースの収納部の他の実施例を示す説明図である。
【図９】図８に示す収納部を有する輸送用物品収納ケースの組み立て後の側面図である。
【図１０】輸送用物品収納ケースの表紙部の実施例を示す説明図である。
【図１１】輸送用物品収納ケースの裏表紙部の実施例を示す説明図である。
【符号の説明】
【００５１】
１０  シート材
１１  表紙部
１２  収納部
１３  裏表紙部
１４、１５  折曲部
１６  開口部
１７  閉鎖空間
１８  接着材
２０  シート材
２１  表紙部
２２  第一収納部
２３  第二収納部
２４  裏表紙部
２５、２６、２７  折曲部
２８、２９  開口部
３０  閉鎖空間
３１  接着材
４０  開口部
４１  ミシン線
５０  開口部
５１ａ、５１ｂ  切り欠き部
５２ａ、５２ｂ、５３ｃ  切り欠き部
５３ａ、５３ｂ  切り欠き部
６０  把持部
６１  ミシン線
７０  窓
Ａ  コンパクトディスク
【図１】
2006089077.tif 000003
【図２】
2006089077.tif 000004
【図３】
2006089077.tif 000005
【図４】
2006089077.tif 000006
【図５】
2006089077.tif 000007
【図６】
2006089077.tif 000008
【図７】
2006089077.tif 000009
【図８】
2006089077.tif 000010
【図９】
2006089077.tif 000011
【図１０】
2006089077.tif 000012
【図１１】
2006089077.tif 000013